(57)【要約】【課題】  入口の翼枚数が１枚、出口の翼枚数が３枚で、かつ翼全体の重心が回転軸上にあり回転アンバランスを生じない、吸込性能及び昇圧性能ともに優れたインデューサ及びこのようなインデューサを備えたポンプを提供する。【解決手段】  主羽根車７の上流側に配置されるインデューサ８において、翼に沿った長さが互いに異なる３枚の翼１−１，１−２，１−３を備え、３枚の翼１−１，１−２，１−３の前縁１−１ａ，１−２ａ，１−３ａの子午面における位置が相互に異なるように３枚の翼１−１，１−２，１−３を配置した。【選択図】図４
2005139964.tif 000002
【特許請求の範囲】
【請求項１】
主羽根車の上流側に配置されるインデューサにおいて、
翼に沿った長さが互いに異なる３枚の翼を備え、前記３枚の翼の前縁の子午面における位置が相互に異なることを特徴とするインデューサ。
【請求項２】
前記３枚の翼の後縁位置は、子午面において互いに同一位置に揃っていることを特徴とする請求項１に記載のインデューサ。
【請求項３】
前記３枚の翼の後縁は、回転軸心に垂直な平面において、回転軸心を中心として均等に配置されていることを特徴とする請求項２に記載のインデューサ。
【請求項４】
前記３枚の翼は、第１の翼、第２の翼、及び第３の翼から構成され、
前記第１の翼の後縁からの巻き角度は、２３０＋Ａ〜２５０＋Ａ°であり、
前記第２の翼の後縁からの巻き角度は、１１０＋Ａ〜１３０＋Ａ°であり、
前記第３の翼の後縁からの巻き角度は、Ａ°である
（ただし、Ａは、０＜Ａの条件を満たす定数を表す）
ことを特徴とする請求項３に記載のインデューサ。
【請求項５】
ケーシングに収容される主羽根車と、
前記主羽根車が固定される主軸と、
請求項１乃至４のいずれか一項に記載のインデューサとを備えることを特徴とするポンプ。
【発明の詳細な説明】
【技術分野】
【０００１】
本発明は、インデューサ及びポンプに係り、特にポンプの吸込性能を向上させるために、回転軸心が主羽根車の回転軸心と一致するように主羽根車の上流側に配置されるインデューサ及び該インデューサを備えたポンプに関するものである。
【背景技術】
【０００２】
ポンプを低い吸込圧で運転したり、定格よりも大きな流量で運転すると、ポンプ流路内において液体の圧力が局所的に飽和蒸気圧以下になり、ポンプ羽根車（以下、主羽根車という）の流路内にキャビテーションが発生する場合がある。主羽根車の流路内にキャビテーションが発生すると、流路がキャビテーション気泡によって閉塞され、ポンプが昇圧不能に陥ることがある。
【０００３】
ポンプの入口における全圧と飽和蒸気圧との差はポンプのキャビテーション発生に対する余裕を表し、この圧力差をＮＰＳＨ（Net Positive Suction Head：有効吸込ヘッド）という。このＮＰＳＨによってポンプの吸込性能が評価され、より低いＮＰＳＨでも昇圧性能があるポンプは吸込性能が高いとされる。ポンプの吸込性能が高いとポンプの高速運転が可能になり、ポンプの小型化が可能になる。
【０００４】
従来から、ポンプの吸込性能を向上させるため、主軸の先端部にインデューサを取り付ける場合がある。このインデューサは主羽根車の上流側に主羽根車と回転軸心が同じになるように配置され、主軸を介して主羽根車と同じ回転速度で回転される。インデューサは、複数の翼を有する斜流型または軸流型の羽根車であり、主羽根車に比べて翼の枚数が少なく、翼長さが長いという形状的特徴を有している。
【０００５】
このような形状的特徴のため、翼の入口上流で液体の圧力が低下してキャビテーションが発生した場合でも、インデューサの流路は閉塞されにくく液体を昇圧することができる。このため、インデューサを主羽根車の上流側に配置することにより、主羽根車単独の場合に比べてポンプの吸込性能を向上させることができ、ポンプの高速化及び小型化が可能になる。インデューサ付きポンプの吸込性能は、インデューサの吸込性能及び昇圧性能が高いほど大きくなる。
【０００６】
図１（ａ）及び図１（ｂ）に３枚の翼を有する従来のインデューサを示す。図１（ａ）及び図１（ｂ）に示すように、ヘリカル形状（らせん形状）の３枚の翼１１−１，１１−２，１１−３（以下、総称するときは翼１１という）は、円筒状もしくは円柱状の軸部５の外周面に固定されている。これらの翼１１の翼に沿った長さはすべて等しく構成されている。一般に、インデューサは高い吸込性能を達成するように設計されるため、インデューサの翼枚数はできるだけ少なくすることが好ましい。１枚翼のみを有するインデューサは回転バランスの問題があるため、通常のインデューサの翼枚数は２枚から５枚である。また、偶数の翼枚数のインデューサでは、交互翼キャビテーションが発生する可能性があるため、一般的には３枚翼のインデューサが好ましいとされている。このような従来インデューサの翼枚数に関する一般的な設計指針は非特許文献１に記載されている。
【０００７】
一般的にインデューサの昇圧性能は、インデューサの翼枚数が多いほど高くなる。一方、インデューサの吸込性能は翼枚数が少ないほど高くなるので、インデューサの昇圧性能と吸込性能とは二律背反の関係にある。ポンプの仕様により、インデューサに高い吸込性能と高い昇圧性能が同時に要求される場合は、中間翼付きのインデューサが用いられることがある。
【０００８】
中間翼付きのインデューサは、通常長さの翼（全翼）の間に形成される流路に全翼よりも長さの短い中間翼を配置したものである。中間翼の後縁は、子午面において全翼と同じ位置にあるが、中間翼の前縁は全翼の前縁よりも下流側に位置している。従って、中間翼付きのインデューサは、入口で翼枚数が少なく出口で翼枚数が多くなるという特徴を有している。これにより中間翼付きのインデューサは、全翼だけのインデューサに比べて入口の流路が広くキャビテーション気泡によって閉塞されにくいことから高い吸込性能を有している。さらに、中間翼付きのインデューサは出口の翼枚数が多いことから高い昇圧性能を有している。非特許文献２には、中間翼付きのポンプ羽根車は中間翼を用いないポンプ羽根車よりも高い吸込性能を有することが示されている。
【０００９】
中間翼付きのポンプ羽根車の他の例として、特許文献３には、全翼１枚＋中間翼１枚の汚水ポンプ用の羽根車が開示されている。回転軸に垂直な平面に羽根車を投影してみたとき、中間翼（副羽根）の後縁は、全翼（主羽根）の後縁の回転軸を中心とした対称位置よりも回転方向にずれた位置にある。この汚水ポンプ用の羽根車は、汚物による入口の閉塞を防ぐため入口の翼枚数を１枚に、ポンプ効率を実用上十分な値にするため出口の翼枚数を２枚にしたものである。これらの中間翼及び全翼の重心はいずれも回転軸心から離れているために、中間翼及び全翼だけでは回転バランスをとることができない。
【００１０】
【非特許文献１】NASA SP−8052、Liquid Rocket Engine Turbopump Inducers、NASA SPACE VEHICLE DESIGN CRITERIA、米国、NASA(National Aeronautics and Space Administration) 、１９９７年５月
【非特許文献２】Kosuke ASHIHARA and Akira GOTO、STUDY ON PUMP IMPELLER WITH SPLITTER BLADES DESIGNED BY 3-D INVERSE DESIGN METHOD、FEDSM2000-11073、米国、ASME、２０００年６月
【特許文献３】特開２００１-２８９１９３号公報
【発明の開示】
【発明が解決しようとする課題】
【００１１】
高い吸込性能を達成できるインデューサとして全翼２枚タイプのインデューサが考えられる。しかしながら、このタイプのインデューサは入口の翼枚数が少ないことから高い吸込性能が期待できるが、出口の翼枚数も少ないことから昇圧性能は低くなる。一方、高い吸込性能と高い昇圧性能が期待できる中間翼付きのインデューサは、その形状的特徴から翼枚数が必ず偶数になり、その最小翼枚数は実際のポンプに使用されるインデューサにおいては全翼２枚＋中間翼２枚の合計４枚である。
【００１２】
図２（ａ）及び図２（ｂ）に、全翼２枚及び中間翼２枚を有する従来の中間翼付きのインデューサを示す。図２（ａ）及び図２（ｂ）に示すように、中間翼１２−１，１２−２（以下、総称するときは中間翼１２という）は、全翼１１−１，１１−２（以下、総称するときは全翼１１という）との間に形成された流路の回転軸周方向における中央にそれぞれ位置し、中間翼１２の長さは全翼１１の長さの半分である。子午面における中間翼１２の後縁１２−１ｂの位置は全翼１１の後縁１１−１ｂ，１１−２ｂと同じであるが、中間翼１２の前縁１２−１ａ，１２−２ａの位置は全翼１１の前縁１１−１ａ，１１−２ａよりも下流側にある。この中間翼付きインデューサは、入口の翼枚数が２枚で出口の翼枚数が４枚なので入口が広く、従って高い吸込性能が達成でき、かつ高い昇圧性能を達成することができる。
【００１３】
この全翼２枚＋中間翼２枚のインデューサよりもさらなる吸込性能を向上させるためは、入口の翼枚数を減らして流路の入口を拡大することが必要となる。このような広い流路入口を有するインデューサとして、全翼１枚＋中間翼１枚のタイプのインデューサが考えられる。しかしながら、このタイプのインデューサの場合、翼全体の重心が回転軸心上にないため回転のアンバランスが生じ、ポンプの運転が困難になる。
【００１４】
このような観点から、高い吸込性能と高い昇圧性能を達成するために、
（１）入口の翼枚数は出来るだけ少なく、
（２）出口の翼枚数は出来るだけ多く、
（３）翼の重心が回転軸上にあり回転アンバランスを生じない、
ような新しい構成を持つインデューサが望まれている。
【００１５】
本発明は、このような従来技術の問題点に鑑みてなされたもので、入口の翼枚数が１枚、出口の翼枚数が３枚で、かつ翼全体の重心が回転軸上にあり回転アンバランスを生じない、吸込性能及び昇圧性能ともに優れたインデューサ及びこのようなインデューサを備えたポンプを提供することを目的とする。
【課題を解決するための手段】
【００１６】
上記の従来技術における問題点を解決するために、本発明は、主羽根車の上流側に配置されるインデューサにおいて、翼に沿った長さが互いに異なる３枚の翼を備え、前記３枚の翼の前縁の子午面における位置が相互に異なることを特徴とする。
本発明の好ましい態様は、前記３枚の翼の後縁位置は、子午面において互いに同一位置に揃っていることを特徴とする。
本発明の好ましい態様は、前記３枚の翼の後縁は、回転軸心に垂直な平面において、回転軸心を中心として均等に配置されていることを特徴とする。
【００１７】
本発明の好ましい態様は、前記３枚の翼は、第１の翼、第２の翼、及び第３の翼から構成され、前記第１の翼の後縁からの巻き角度は、２３０＋Ａ〜２５０＋Ａ°であり、前記第２の翼の後縁からの巻き角度は、１１０＋Ａ〜１３０＋Ａ°であり、前記第３の翼の後縁からの巻き角度は、Ａ°である（ただし、Ａは、０＜Ａの条件を満たす定数を表す）ことを特徴とする。
３枚の翼の同じ子午面位置における翼角度や、子午面位置に対する翼角度の分布が互いに異なる場合、３枚の翼の巻き角度を上記の範囲内で調節することにより、３枚の翼全体の重心を回転軸に一致させることができ、回転バランスをとることができる。
【００１８】
上述した本発明に含まれる一つの例を以下に示す。３枚の翼に関して、翼角度が子午面位置にかかわらず一定で、すべての翼の翼角度が同じ場合においては、
第１の翼の後縁からの巻き角度は、２４０＋Ａ°であり、
第２の翼の後縁からの巻き角度は、１２０＋Ａ°であり、
第３の翼の後縁からの巻き角度は、Ａ°とすることができる。
この関係であれば３枚の翼全体の重心が回転軸心と一致し、回転バランスをとることができる。ここで、Ａは３枚の翼に共通な定数であり、０＜Ａの範囲で任意の値を選択することができる。
【００１９】
本発明のインデューサにおいては、３枚の翼の翼に沿った長さがそれぞれ違うために、入口で翼が１枚、中央で翼が２枚、出口で翼が３枚になっている。さらに、後縁の位置を基準としたそれぞれの翼の巻き角度が上記の関係を満たしている場合、３枚の翼の重心が回転軸上に位置するようになっている。
【００２０】
本発明のインデューサによれば、入口の翼枚数が１枚であるため、第１の翼の入口付近の負圧面にキャビテーション気泡が発生した場合でも、インデューサの入口における負圧面側の流路は、その開口角が３６０°と広く、インデューサの入口が閉塞されにくい。ここで、開口角とは回転軸を中心とした流路断面の中心角をいい、隣接する翼同士の間隔の大きさを表す。第１の翼の昇圧作用があるため、第２の翼の負圧面に生じるキャビテーション気泡は第１の翼より小さく、かつ負圧面側の流路もその開口角が２４０°と広いためキャビテーション気泡によって閉塞されにくい。第３の翼では、負圧面側の流路の開口角は１２０°であるが、第１の翼と第２の翼との昇圧作用により第３の翼に発生するキャビテーション気泡はさらに小さいため閉塞の可能性は低い。
【００２１】
このように、上記構成を持つ本発明のインデューサは高い吸込性能を持ち、かつ、インデューサ出口の翼枚数は３枚なので実用上十分に高い昇圧性能を持っている。また、３枚の翼全体の重心が回転軸上にあることから回転アンバランスの問題は生じない。従って、上記構成を持つインデューサは、高い吸込性能、高い昇圧性能、回転アンバランスが無い、という特徴を持つ。
【００２２】
本発明の他の態様は、ケーシングに収容される主羽根車と、前記主羽根車が固定される主軸と、上記インデューサとを備えることを特徴とするポンプである。
上述したインデューサは高い吸込性能及び高い昇圧性能を有しているため、このインデューサを備えるポンプの吸込性能を向上させることができる。したがって、ポンプの高速化及び小型化が可能になる。
【００２３】
また、別の観点からみれば、本発明は、インデューサの翼枚数に関する背反命題を解決したものと言うことができる。つまり、キャビテーション気泡による流路の閉塞を回避して高い吸込性能を達成するという点からは、インデューサ翼枚数は減少すべきだが、高い圧力性能を達成するという点からは翼枚数は増加すべきである。本発明は、このような背反命題を、単に両性能の妥協ということではなく、相互に長さの異なる３枚の翼を用いることにより、極めて高い効果をもって良好に解決することができる。
【００２４】
なお、本発明において、各翼の後縁の子午面における位置は互いに同一位置に揃っていることが好ましいが、各翼後縁の相互の位置のずれが、本発明の目的である優れた吸込性能及び昇圧性能に直ちに影響を与えるわけではない。
【発明の効果】
【００２５】
上述したように、本発明のインデューサは高い吸込性能と高い昇圧性能を持ち、かつ回転のアンバランスを起こさない。従って、本発明のインデューサを主羽根車の上流側に配置した構成のポンプでは、従来のポンプにくらべ高い吸込性能を発揮することができ、ポンプの高速化及び小型化に貢献することができる。
【発明を実施するための最良の形態】
【００２６】
以下、本発明に係るインデューサ及び該インデューサを備えたポンプについて図面を参照して説明する。
図３は本発明のインデューサを備えたポンプを模式的に示す断面図である。
図３に示すように、ポンプは、ケーシング６内に収容された主羽根車（ポンプ羽根車）７と、本発明に係るインデューサ８と、主羽根車７及びインデューサ８が固定される主軸９とを備えている。主羽根車７の上流側及び下流側には、昇圧された流体が高圧側から低圧側に漏洩することを防止するためのシール部材１０Ａ，１０Ｂがそれぞれ設けられている。
【００２７】
インデューサ８は、その回転軸心（主軸９の中心軸）が主羽根車７と同じになるように主羽根車７の上流に配置され、図示しない駆動源により主軸９を介して主羽根車７と同じ回転速度で回転する。流体は吸込口６ａより流入し、キャビテーションを発生しながらインデューサ８で昇圧され、さらに主羽根車７でポンプの要求揚程が得られる程度にまで昇圧される。このとき主羽根車７の中ではキャビテーションが発生しない圧力まで、インデューサ８が流体を昇圧しているため、ポンプの吸込性能は主羽根車７単独の場合よりも向上する。
【００２８】
図４（ａ）乃至図４（ｃ）に本発明の一実施形態に係るインデューサを詳細に示す。図４（ａ）は本発明の一実施形態に係るインデューサの側面図であり、図４（ｂ）は本発明の一実施形態に係るインデューサの斜視図であり、図４（ｃ）は本発明の一実施形態に係るインデューサの別の斜視図である。図５は本発明の一実施形態に係るインデューサの子午面における第１の翼、第２の翼、及び第３の翼を示す模式図である。
【００２９】
図４（ａ）乃至図４（ｃ）に示すように、この実施形態におけるインデューサは、円筒状の軸部５と、この軸部５の外周面に固定された３枚の翼１とを備えている。３枚の翼１は、第１の翼１−１と、第２の翼１−２と、第３の翼１−３（以下、総称するときは翼１という）とから構成されている。図５に示すように、第１の翼１−１、第２の翼１−２、及び第３の翼１−３の長さは互いに異なっており、これらの翼１の前縁１−１ａ，１−２ａ，１−３ａの子午面における位置は相互に異なっている。また、子午面における翼１の後縁１−１ｂ，１−２ｂ，１−３ｂは、同一の位置にある。
【００３０】
図４（ｃ）に示すように、回転軸に垂直な平面においては、インデューサ出口における３枚の翼１の後縁１−１ｂ〜３ｂは、回転軸心を中心として１２０°の間隔をもって均等な位置にある。また、３枚の翼１の後縁１−１ｂ〜３ｂからの巻き角度は、それぞれ次のように設定される。
第１の翼１−１：２４０＋Ａ°
第２の翼１−２：１２０＋Ａ°
第３の翼１−３：Ａ°
ただし、Ａは３枚の翼１に共通な定数であり、０よりも大きい数値を表す。ここで、巻き角度とは、後縁から前縁までの回転軸を中心とする翼の中心角をいう。なお、第１の翼１−１の巻き角度は２３０＋Ａ〜２５０＋Ａ°であれればよく、また、第２の翼１−２の巻き角度は１１０＋Ａ〜１３０＋Ａ°であればよい。
【００３１】
図６（ａ）は本発明の一実施形態に係る第１の翼を示す斜視図であり、図６（ｂ）は第１の翼を示す平面図である。図７（ａ）は本発明の一実施形態に係る第２の翼を示す斜視図であり、図７（ｂ）は第２の翼を示す平面図である。図８（ａ）は本発明の一実施形態に係る第３の翼を示す斜視図であり、図８（ｂ）は第３の翼を示す平面図である。
図６（ｂ）、図７（ｂ）、及び図８（ｂ）に示すように、本実施形態では、上記定数Ａは１２０としており、３枚の翼１の後縁１−１ｂ〜３ｂからの巻き角度は、それぞれ次のように設定されている。
第１の翼１−１：３６０°
第２の翼１−２：２４０°
第３の翼１−３：１２０°
このような配置により、本実施形態のインデューサは、入口において翼１枚、中央において翼２枚、出口において翼３枚の構成になっている。
【００３２】
上述した定数Ａは、好ましくは６０≦Ａ≦１８０である。Ａ＜６０であると、第３の翼１−３の長さが短すぎて昇圧性能が期待できない。一方、１８０＜Ａであると、３枚翼の間にそれぞれ形成される流路が長くなりすぎ、流体の抵抗が増えて昇圧性能が低下する。
【００３３】
図７（ｂ）及び図８（ｂ）に示すように、第２の翼１−２の巻き角度は２４０°、第３の翼１−３の巻き角度は１２０°であり、第２の翼１−２と第３の翼１−３のそれぞれの後縁１−２ｂ，１−３ｂの位置は互いに１２０°ずれている。このことから、第２の翼１−２と第３の翼１−３との巻き角度の合計は、第１の翼１−１の巻き角度３６０°と同じになり、第２の翼１−２と第３の翼１−３とを組み合わせたときの重心は回転軸心上に位置する。第１の翼１−１の巻き角度は３６０°なので重心は回転軸上にあることから、第１の翼１−１、第２の翼１−２、及び第３の翼１−３の全体としての重心も回転軸上にあることになる。従って、本実施形態に係るインデューサの回転のバランスはとれている。このように、それぞれの翼１の前縁１−１ａ〜３ａは互いに１２０°ずれていることから、それぞれの翼１において同じ巻き角度だけ増減しても翼１全体の重心は回転軸上にある。よって、上述した定数Ａを任意の値としても、翼１全体の重心は回転軸上に位置することになり回転バランスをとることができる。
【００３４】
以下、図９乃至図１１に、本発明の一実施形態に係るインデューサ及び従来のインデューサのキャビテーション発生状態を示す。なお、図９乃至図１１は、インデューサの翼を展開したものである。図９乃至図１１においては、流路を分かりやすく表現するために１枚目の翼（第１の翼）を左右両側に重複して描いてあるが、実際には１枚目の翼は１つである。
【００３５】
図９は３枚の全翼を有する図１に示す従来のインデューサのキャビテーション発生状態を示す模式図である。このタイプのインデューサでは、翼と隣の翼との間には開口角１２０°に対応した大きさの間隔が形成されている。ここでは、開口角とは回転軸心を中心とした流路断面の中心角をいい、隣接する翼同士の間隔の大きさを表す。入口上流の圧力が下がると、入口付近の翼１１−１〜３の負圧面にキャビテーション気泡２０が生じる。ある程度の大きさのキャビテーション気泡２０が生じると、流路は閉塞される。なお、昇圧性能に関しては、出口の翼枚数は３枚なので、このタイプのインデューサは、全翼２枚タイプのインデューサより高い昇圧性能を持つ。
【００３６】
図１０は２枚の全翼及び２枚の中間翼を有する図２に示す従来のインデューサのキャビテーション発生状態を示す模式図である。このタイプのインデューサの入口における翼枚数は２枚なので、全翼１１−１と隣の全翼１１−２との間には、開口角１８０°に対応した大きさの間隔が形成されている。従って、入口付近において全翼１１の負圧面にキャビテーション気泡２０が発生しても、図９に示すインデューサ（全翼３枚タイプ）よりは流路が広いため閉塞されにくい。入口付近において中間翼１２の負圧面に発生するキャビテーション気泡３０の大きさは、全翼１１による昇圧作用があるため、全翼１１の負圧面に発生するキャビテーション気泡２０の大きさよりは小さい。しかし、隣接する中間翼１２と全翼１１との間の開口角は９０°であり、中間翼１２の負圧面側の流路は比較的狭い。このため、中間翼１２の負圧面に生じるキャビテーション気泡３０がある程度大きいと、中間翼１２の負圧側の流路が閉塞されやすい。なお、昇圧性能に関しては、出口における翼枚数は４枚なので、図１０に示すインデューサは図９に示すインデューサ（全第３の翼枚タイプ）より高い昇圧性能を持つ。
【００３７】
図１１は本発明の一実施形態に係るインデューサのキャビテーション発生状態を示す模式図である。図１１に示すように、本実施形態に係るインデューサの入口の翼枚数は１枚なので、入口においては開口角が３６０°である。従って、入口付近における第１の翼（全翼）１−１の負圧面にキャビテーション気泡２０が発生しても、流路が極めて広いため閉塞されにくい。第２の翼１−２の入口付近における負圧面に発生するキャビテーション気泡３０の大きさは、第１の翼１−１による昇圧作用のため、第１の翼１−１の負圧面に発生するキャビテーション気泡２０よりは小さい。しかも、第２の翼１−２の負圧面側の流路は、隣の第１の翼１−１との開口角が２４０°と比較的大きいため、この流路も非常に閉塞されにくい。
【００３８】
第３の翼１−３の入口付近における負圧面に発生するキャビテーション気泡４０の大きさは、第１の翼１−１と第２の翼１−２による昇圧作用があるため第２の翼１−２の負圧面に生じるキャビテーション気泡３０より小さくなる。しかも、第２の翼１−２の負圧面側の流路は、隣の第１の翼１−１との開口角が１２０°と大きいため、この流路も閉塞されにくい。なお、昇圧性能に関しても、出口における翼枚数は３枚なので、本実施形態に係るインデューサは図９に示すインデューサ（全翼３枚タイプ）と同等の高い昇圧性能を持つ。上記構成によれば、本発明のインデューサは高い吸込性能と高い昇圧性能を持ち、かつ回転のアンバランスを起こさない。
【００３９】
なお、上記の実施形態では、３枚の翼１の回転軸に対する取り付け位置が、回転軸の周方向において互いに均等である。即ち、３枚の翼１の後縁１−１ｂ〜３ｂは、回転軸心に垂直な平面において、回転軸心を中心とする中心角として互いに１２０°の角度を隔てて均等に配置されており、かつ、子午面において３枚の翼１の後縁１−１ｂ〜３ｂの位置が同じになるように取り付けられる。しかしながら、上述したように、本発明は互いに長さの異なる３枚の翼を備え、かつこれらの翼の前縁１−１ａ〜３ａの子午面における位置を互いに相違させたことが本質であるから、各翼１の後縁１−１ｂ〜３ｂが回転軸心の周りに必ずしも１２０°の間隔で均等に取り付けていなくても良いし、また、子午面において後縁１−１ｂ〜３ｂの位置が揃っていなくても良い。ただ、３枚の長さの異なる翼の回転のバランスが確実にとれ、本発明の効果を最も良好に発揮できるのは、上記実施形態に示したインデューサなのである。
【図面の簡単な説明】
【００４０】
【図１】図１（ａ）は３枚の翼を有する従来のインデューサを示す斜視図であり、図１（ｂ）は図１（ａ）に示すインデューサの側面図である。
【図２】図２（ａ）は全翼２枚及び中間翼２枚を有する従来の中間翼付きのインデューサを示す斜視図であり、図２（ｂ）は図２（ａ）に示すインデューサの側面図である。
【図３】本発明の一実施形態に係るインデューサを備えたポンプを模式的に示す断面図である。
【図４】図４（ａ）は本発明の一実施形態に係るインデューサを示す側面図であり、図４（ｂ）は本発明の一実施形態に係るインデューサの斜視図であり、図４（ｃ）は本発明の一実施形態に係るインデューサの別の斜視図である。
【図５】本発明の一実施形態に係るインデューサの子午面における第１の翼、第２の翼、及び第３の翼を示す模式図である。
【図６】図６（ａ）は本発明の一実施形態に係る第１の翼を示す斜視図であり、図６（ｂ）は第１の翼を示す平面図である。
【図７】図７（ａ）は本発明の一実施形態に係る第２の翼を示す斜視図であり、図７（ｂ）は第２の翼を示す平面図である。
【図８】図８（ａ）は本発明の一実施形態に係る第３の翼を示す斜視図であり、図８（ｂ）は第３の翼を示す平面図である。
【図９】３枚の全翼を持つ従来のインデューサのキャビテーション発生状態を示す模式図である。
【図１０】２枚の全翼及び２枚の中間翼を有する従来のインデューサのキャビテーション発生状態を示す模式図である。
【図１１】本発明の一実施形態に係るインデューサのキャビテーション発生状態を示す模式図である。
【符号の説明】
【００４１】
１−１      第１の翼
１−２      第２の翼
１−３      第３の翼
５          軸部
６          ケーシング
７          主羽根車
８          インデューサ
９          主軸
１０Ａ，１０Ｂ    シール部
１１        全翼
１２        中間翼
２０，３０，４０    キャビテーション気泡
【図１】
2005139964.tif 000003
【図２】
2005139964.tif 000004
【図３】
2005139964.tif 000005
【図４】
2005139964.tif 000006
【図５】
2005139964.tif 000007
【図６】
2005139964.tif 000008
【図７】
2005139964.tif 000009
【図８】
2005139964.tif 000010
【図９】
2005139964.tif 000011
【図１０】
2005139964.tif 000012
【図１１】
2005139964.tif 000013